(57)【要約】【課題】収納空間の周囲の側壁部の補強やヒンジ取付け面の精度アップを図る必要がなく、簡単に取り付けて使用できる折れ戸装置を提供する。【解決手段】２枚の戸単体(9A,9B)の内側辺どうしをセンターヒンジ(10)により折り畳み自在に連結して成る折れ戸(1)の一方の戸単体(9A)の外側辺を、位置固定ヒンジ(11)により定位置に開閉自在に軸支すると共に、他方の戸本体(9B)の外側辺を、折れ戸開閉方向に沿って配設されたスライドガイドレール(8)に係合する可動体(13)に開閉自在に軸支して成る折れ戸装置において、前記折れ戸(1)によって開閉される収納空間(6)には、当該折れ戸(1)の中間高さに位置する中間棚(7)が架設され、この中間棚(7)の前側辺に前記位置固定ヒンジ(11)とスライドガイドレール(8)が取り付けられた構成。【選択図】図１
2011144500.tif 000002
【特許請求の範囲】
【請求項１】
２枚の戸単体の内側辺どうしをセンターヒンジにより折り畳み自在に連結して成る折れ戸の一方の戸単体の外側辺を、位置固定ヒンジにより定位置に開閉自在に軸支すると共に、他方の戸本体の外側辺を、折れ戸開閉方向に沿って配設されたスライドガイドレールに係合する可動体に開閉自在に軸支して成る折れ戸装置において、前記折れ戸によって開閉される収納空間には、当該折れ戸の中間高さに位置する中間棚が架設され、この中間棚の前側辺に前記位置固定ヒンジとスライドガイドレールが取り付けられている、折れ戸装置。
【請求項２】
前記位置固定ヒンジを備えた戸単体の下端と床面との間には、前記位置固定ヒンジの垂直支軸と同心状の垂直支軸を備えた床側位置固定ヒンジが介装されている、請求項１に記載の折れ戸装置。
【請求項３】
前記中間棚は、棚板と、この棚板の前側辺下側に固着された支持部材とから構成され、前記位置固定ヒンジは、前記支持部材の前面に取り付けられ、前記スライドガイドレールは、前記支持部材の下側に取り付けられている、請求項１又は２に記載の折れ戸装置。
【請求項４】
前記位置固定ヒンジは、前記中間棚の前側辺に取り付けられる軸受け部材と、戸単体の裏面に埋設され且つ凹窪部を有する埋設部材と、この埋設部材の凹窪部に遊嵌する前記軸受け部材の先端軸受け部と当該埋設部材とを相対回転自在に連結する垂直支軸から構成されている、請求項１〜３の何れか１項に記載の折れ戸装置。
【請求項５】
前記軸受け部材は、前記中間棚の前側辺に取り付けられる平面視Ｌ形の取付け板と、この取付け板の先端部にネジ止めされて前記先端軸受け部を形成する軸受け部品とで構成されている、請求項４に記載の折れ戸装置。
【請求項６】
前記埋設部材は、戸単体の凹部に嵌合される外側ケース部材と、この外側ケース部材に嵌合する内側嵌合部材とから構成され、この内側嵌合部材は、外側ケース部材内に嵌合するコ形部分と、当該コ形部分の両端から連設され且つ外側ケース部材の外側で戸単体の裏面にネジ止めされる一対の取付け板部とを備え、前記垂直支軸は、前記内側嵌合部材のコ形部分の両側壁部間に架設されている、請求項４又は５に記載の折れ戸装置。
【発明の詳細な説明】
【技術分野】
【０００１】
本発明は、建屋内の収納空間を開閉する手段として利用できる折れ戸装置に関するものである。
【背景技術】
【０００２】
この種の折れ戸装置は、特許文献１にも記載される通り、２枚の戸単体の内側辺どうしをセンターヒンジにより折り畳み自在に連結して成る折れ戸の一方の戸単体の外側辺を、位置固定ヒンジにより定位置に開閉自在に軸支すると共に、他方の戸本体の外側辺を、折れ戸開閉方向に沿って配設されたスライドガイドレールに係合する可動体に開閉自在に軸支して構成される。而して、前記折れ戸が開閉する収納空間内に中間棚が架設されている場合、前記スライドガイドレールを当該中間棚の前縁部に敷設することは、特許文献１に記載されているように、従来周知であった。
【先行技術文献】
【特許文献】
【０００３】
【特許文献１】特開平８−３０３１０５号公報
【発明の概要】
【発明が解決しようとする課題】
【０００４】
しかしながら、特許文献１にも記載されるように従来のこの種の折れ戸装置では、折れ戸の一側辺を軸支する位置固定ヒンジは、この折れ戸で開閉される収納空間の側壁部に取り付ける構造であったため、収納空間の周囲の側壁部の内、少なくとも前記位置固定ヒンジが取り付けられる側の側壁部は、当該位置固定ヒンジを強固に取り付けることができる強度と、当該位置固定ヒンジを精度良く取り付けることができる鉛直面が必要になり、これらの要求が満たされない場合には、収納空間の周囲の側壁部の内、少なくとも前記位置固定ヒンジが取り付けられる側の側壁部に柱部材を取り付けて、補強やヒンジ取付け面の精度アップを図る必要があり、コストがかかるだけでなく、収納空間の間口が狭くなる恐れもあった。
【課題を解決するための手段】
【０００５】
本発明は、上記のような従来の問題点を解消することのできる折れ戸装置を提案するものであって、請求項１に記載の本発明に係る折れ戸装置は、後述する実施例との関係を理解し易くするために、当該実施例の説明において使用した参照符号を括弧付きで付して示すと、２枚の戸単体(9A,9B)の内側辺どうしをセンターヒンジ(10)により折り畳み自在に連結して成る折れ戸(1)の一方の戸単体(9A)の外側辺を、位置固定ヒンジ(11)により定位置に開閉自在に軸支すると共に、他方の戸本体(9B)の外側辺を、折れ戸開閉方向に沿って配設されたスライドガイドレール(8)に係合する可動体(13)に開閉自在に軸支して成る折れ戸装置において、前記折れ戸(1)によって開閉される収納空間(6)には、当該折れ戸(1)の中間高さに位置する中間棚(7)が架設され、この中間棚(7)の前側辺に前記位置固定ヒンジ(11)とスライドガイドレール(8)が取り付けられた構成になっている。
【０００６】
上記本発明を実施する場合、具体的には請求項２に記載のように、前記位置固定ヒンジ(11)を備えた戸単体(9A)の下端と床面(2)との間には、前記位置固定ヒンジ(11)の垂直支軸(11a)と同心状の垂直支軸(19)を備えた床側位置固定ヒンジ(15)を介装することができる。
【０００７】
又、請求項３に記載のように、前記中間棚(7)は、棚板(36)と、この棚板(36)の前側辺下側に固着された支持部材(37)とから構成し、前記位置固定ヒンジ(11)は、前記支持部材(37)の前面に取り付け、前記スライドガイドレール(8)は、前記支持部材(37)の下側に取り付けることができる。
【０００８】
更に、請求項４に記載のように、前記位置固定ヒンジ(11)は、前記中間棚(7)の前側辺に取り付けられる軸受け部材(38)と、戸単体(9A)の裏面に埋設され且つ凹窪部(39a)を有する埋設部材(39)と、この埋設部材(39)の凹窪部(39a)に遊嵌する前記軸受け部材(38)の先端軸受け部(38a)と当該埋設部材(39)とを相対回転自在に連結する垂直支軸(11a)から構成することができる。この場合、請求項５に記載のように、前記軸受け部材(38)は、前記中間棚(7)の前側辺に取り付けられる平面視Ｌ形の取付け板(41)と、この取付け板(41)の先端部にネジ止めされて前記先端軸受け部(38a)を形成する軸受け部品(42)とで構成することができるし、請求項６に記載のように、前記埋設部材(39)は、戸単体(9A)の凹部(45)に嵌合される外側ケース部材(46)と、この外側ケース部材(46)に嵌合する内側嵌合部材(47)とから構成し、この内側嵌合部材(47)は、外側ケース部材(46)内に嵌合するコ形部分(48)と、当該コ形部分(48)の両端から連設され且つ外側ケース部材(46)の外側で戸単体(9A)の裏面にネジ止めされる一対の取付け板部(49)とを備えた構造とし、前記垂直支軸(11a)は、前記内側嵌合部材(47)のコ形部分(48)の両側壁部(48a,48b)間に架設することができる。
【発明の効果】
【０００９】
請求項１に記載の本発明の構成によれば、折れ戸の位置固定ヒンジを従来のように収納空間の側壁部に取り付けないので、この収納空間の側壁部の強度や鉛直度などの精度に全く影響されずに折れ戸を取り付けることができ、位置固定ヒンジの取り付けのために収納空間の側壁部に別の柱部材などを取り付ける必要がなくなり、安価に実施できるだけでなく、収納空間の間口を狭める恐れも全くなくなる。
【００１０】
尚、中間棚が複数段架設されている場合、各段の中間棚に位置固定ヒンジを介して折れ戸の一側辺を支持させることもできるが、中間棚の段数に関係なく１つの中間棚に位置固定ヒンジを介して折れ戸を軸支する場合、折れ戸の遊側辺側がスライドガイドレールに支持されるとしても、位置固定ヒンジには大きな捩れ負荷が働くことになる。しかしながら請求項２に記載の構成によれば、位置固定ヒンジを備えた戸単体の下端の位置を、床面との間に介装した床側位置固定ヒンジの支点軸によって定位置に規制することができるので、位置固定ヒンジに大きな捩れ負荷が働くことがなくなり、折れ戸の円滑な開閉を可能にすると共に、位置固定ヒンジの耐用命数も永くすることができる。
【００１１】
又、請求項３に記載の構成によれば、中間棚を構成する棚板そのものを厚板で構成しなくとも、位置固定ヒンジの取付けが容易且つ無理なく行なえると共に、スライドガイドレールを中間棚の下側面に埋設することも容易になる。
【００１２】
更に、請求項４に記載の構成によれば、位置固定ヒンジの支点軸、即ち、垂直支軸を戸単体の厚さの領域内に配置することができ、閉じた折れ戸と中間棚前側縁との間の隙間を狭めることができる。換言すれば、閉じた折れ戸の裏面に中間棚の前側縁を十分に接近させて、中間棚の表面積を大きく確保することができる。この場合、請求項５に記載の構成によれば、平面視Ｌ形の取付け板の先端から軸受け部を一体に折曲連設する場合と比較して、部品点数は多くなるが、軸受け部の強度を高めて耐久性を高めることができる。又、請求項６に記載の構成によれば、位置固定ヒンジの支点軸である垂直支軸を内側嵌合部材のコ形部分の両側壁部間に挿通させた状態で、この内側嵌合部材のコ形部分を外側ケース部材内に嵌合させるだけで、前記垂直支軸を位置決めすることができ、しかも、外側ケース部材は、単独で戸単体にネジ止めしなくとも、内側嵌合部材の一対の取付け板部を戸単体にネジ止めすることにより、当該内側嵌合部材と共に戸単体に固定されることになる。従って、外側ケース部材と内側嵌合部材の二重構造になるが、垂直支軸を内側嵌合部材又は外側ケース部材に固定する必要がなくなると共に、戸単体の裏面に形成する凹入部の全体を外側ケース部材でカバーできるので、戸単体の裏面に形成された凹入部を目立たなくすることができる。
【図面の簡単な説明】
【００１３】
【図１】Ａ図は折れ戸を展開して収納空間を閉じた状態を示す横断平面図、Ｂ図は折れ戸が折り畳み展開行程の中間位置にある状態での横断平面図である。
【図２】折れ戸を折り畳んで収納空間を開いた状態を示す横断平面図である。
【図３】図１Ａの折れ戸を収納空間の内側から見た一部切欠き背面図である。
【図４】Ａ図は図１Ａの折れ戸の位置固定ヒンジの位置での一部切欠き縦断側面図、Ｂ図は図１Ａの折れ戸の可動体位置での一部切欠き縦断側面図である。
【図５】床側位置固定ヒンジを示す要部の背面図である。
【図６】床側位置固定ヒンジを示す要部の縦断正面図である。
【図７】床側位置固定ヒンジを示す要部の縦断側面図である。
【図８】床側位置固定ヒンジを示す要部の横断平面図である。
【図９】Ａ図は床側位置固定ヒンジのケース本体を示す背面図、Ｂ図は床側位置固定ヒンジのケース蓋部を示す正面図である。
【図１０】床側位置固定ヒンジの分解状態での縦断側面図である。
【図１１】床側位置固定ヒンジの分解状態での横断平面図である。
【図１２】位置固定ヒンジを示す要部の横断平面図である。
【図１３】位置固定ヒンジを示す要部の縦断側面図である。
【図１４】位置固定ヒンジを示す要部の背面図である。
【図１５】位置固定ヒンジの分解状態での横断平面図である。
【図１６】位置固定ヒンジの分解状態での縦断側面図である。
【図１７】可動体と戸単体との間のヒンジを示す要部の縦断側面図である。
【図１８】可動体と戸単体との間のヒンジを示す要部の横断平面図である。
【図１９】可動体と戸単体との間のヒンジを示す要部の背面図である。
【図２０】可動体と戸単体との間のヒンジの分解状態での縦断背面図である。
【図２１】可動体と戸単体との間のヒンジを示す要部の縦断側面図である。
【図２２】可動体と戸単体との間のヒンジの分解状態での横断平面図である。
【図２３】可動体と戸単体との間のヒンジの横断平面図である。
【発明を実施するための形態】
【００１４】
図１〜図４において、１は折れ戸であって、床面２、左右両側壁３，４、及び天井面５によって周囲が取り囲まれている収納空間６の開口を開閉するものである。収納空間６には、折れ戸１の中間高さにおいて中間棚７が架設され、この中間棚７の前側辺の下側には、折れ戸１の開閉方向に沿って直線状のスライドガイドレール８が敷設されている。折れ戸１は、２枚の戸単体９Ａ，９Ｂの内側辺どうしを上下複数段（図示例では３段）のセンターヒンジ１０によって折り畳み展開自在に連結したものである。センターヒンジ１０は、従来周知のものであるから構造の図示と説明は省略する。
【００１５】
折れ戸１の一方の戸単体９Ａの外側辺は、１つの位置固定ヒンジ１１によって中間棚７の前側辺に取り付けられ、折れ戸１の他方の戸単体９Ｂの外側辺は、中間棚７側の前記スライドガイドレール８に係合して折れ戸１の開閉方向に移動自在な可動体１３にヒンジ１４を介して相対揺動自在に連結されている。又、戸単体８の外側辺の下端部と床面２との間には、位置固定ヒンジ１１の垂直支軸１１ａと同心状の垂直支軸を有する床側位置固定ヒンジ１５が介装されている。尚、１２は、図１Ａに示すように、折れ戸１が展開閉じ姿勢にあるときに、戸単体９Ａの外側辺と側壁３との間の隙間及び戸単体９Ｂの外側辺と側壁４との間の隙間を斜め向きにして、外部から収納空間６内を直視し難くすると共に手指の挟み込みを防止するために、両側壁３，４に取り付けられた（好ましくは弾性のある材料から製造された）突条部材である。
【００１６】
尚、図１に示すように、収納空間６を閉じる展開状態の折れ戸１とスライドガイドレール８とは、平面視において互いに平行であり、折れ戸１を構成する２枚の戸単体９Ａ，９Ｂの幅は同一であるが、位置固定ヒンジ１１の垂直支軸１１ａとセンターヒンジ１０の支点軸との間の水平距離Ｌ１が、可動体１３と戸単体９Ｂとの間のヒンジ１４の垂直支軸１４ａとセンターヒンジ１０の支点軸との間の水平距離Ｌ２よりも短くなるように、位置固定ヒンジ１１の垂直支軸１１ａは戸単体９Ａの外側辺よりも内側に入り込ませると共に、ヒンジ１４の垂直支軸１４ａは戸単体９Ｂの外側辺に接近させている。
【００１７】
次に、図５〜図１１に基づいて床側位置固定ヒンジ１５の構造と作用を説明する。この床側位置固定ヒンジ１５は、戸単体９Ａに取り付けられる本体１６と、床面２に取り付けられる床側部材１７とから構成されている。本体１６は、ケース１８と、このケース１８に内装される垂直支軸１９、及び傘歯車２０ａ，２０ｂを介して連動連結された回転体２１ａと回転操作軸２１ｂから構成され、床側部材１７は、前後方向調整用取付け孔２２と左右方向調整用取付け孔２３とを備えた取付け板２４と、この取付け板２４の先端上側に固着突設された軸受け用筒体２５から構成されている。本体１６のケース１８は、下側辺を除く周辺に取付け用張出板部２６ａを備えたケース本体２６と、このケース本体２６に重ね合わされた状態で複数本の結合用ネジ２７によりケース本体２６に結合一体化されるケース蓋部２８とから構成されている。垂直支軸１９は、ケース本体２６とケース蓋部２８との間に軸心方向に昇降自在に保持される大径円柱部１９ａと、この大径円柱部１９ａから上方に同心状に一体に突設された螺軸部１９ｂと、大径円柱部１９ａから下方に同心状に一体に突設された支点軸部１９ｃとから構成されたもので、支点軸部１９ｃが床側部材１７の軸受け用筒体２５に相対回転自在に嵌合する。２９はブッシュであって、支点軸部１９ｃに遊嵌する状態で大径円柱部１９ａと軸受け用筒体２５との間に介装されている。
【００１８】
前記垂直支軸１９の大径円柱部１９ａには、ケース蓋部２８に設けられた垂直上下方向の長孔３０に嵌合する回り止め用ピン３１が突設され、この垂直支軸１９が垂直軸心方向の昇降運動のみ可能に構成されている。而して、傘歯車２０ａを一体に備えた回転体２１ａは同心状に雌ネジ孔３２を有するもので、この雌ネジ孔３２において垂直支軸１９の螺軸部１９ｂに螺嵌する状態で、ケース本体２６とケース蓋部２８との間に自転のみ可能に保持され、傘歯車２０ａに咬合する傘歯車２０ｂを一体に備えた回転操作軸２１ｂが、ケース本体２６に設けられた軸孔２６ｂに内側から自転のみ可能に水平向きに挿通支持され、操作用工具嵌合孔２１ｃを端面に備えた当該回転操作軸２１ｂの先端部がケース本体２６から突出するように構成されている。尚、ケース１８の下端には、ケース本体２６とケース蓋部２８とに跨がって、床側支持部材１７側の軸受け用筒体２５の上端部が相対回転と軸心方向相対移動自在に内嵌する大径の孔部２６ｃ，２８ａが形成されている。
【００１９】
上記構成の床側位置固定ヒンジ１５のケース１８は、その内部の垂直支軸１９が、戸単体９Ａの中間高さに取り付けられている位置固定ヒンジ１１の垂直支軸１１ａと同心状で且つその支点軸部１９ｃが戸単体９Ａの下端から突出するように、戸単体９Ａの下側辺の裏面側に取り付けられる。即ち、戸単体９Ａの下側辺の裏面側には、前記ケース１８の取付け用張出板部２６ａを除く部分が丁度嵌合する凹入部３３が刻設され、この凹入部３３にケース１８を、当該ケース１８の下端と戸単体９Ａの下端とが略面一となる状態に嵌合させた状態で、その取付け用張出板部２６ａが戸単体９Ａの裏面に複数本の取付け用ネジ３４により固定される。一方、床側位置固定ヒンジ１５の床側部材１７は、ケース１８の下側から下向きに突出している垂直支軸１９の支点軸部１９ｃが軸受け用筒体２５に嵌合すると共に、軸受け用筒体２５の上端部がケース１８の下端の大径孔部２６ｃ，２８ａ内に嵌合する状態で、取付け板２４が備える前後方向調整用取付け孔２２と左右方向調整用取付け孔２３をそれぞれ貫通する取付け用ネジ３５ａ，３５ｂにより、床面２上に前後左右両方向に位置調整されて取り付けられる。
【００２０】
上記構成の床側位置固定ヒンジ１５によれば、回転操作軸２１ｂの先端の操作用工具嵌合孔２１ｃを利用して当該回転操作軸２１ｂを戸単体９Ａの裏側から正逆回転操作することにより、傘歯車２０ａ，２０ｂを介して回転体２１ａを正逆任意の方向に回転させることができる。この回転体２１ａは、自転できない垂直支軸１９の螺軸部１９ｂに雌ネジ孔３２において螺嵌しているので、当該回転体２１ａの正逆回転により、床側部材１７の軸受け用筒体２５に自転のみ可能に支持された状態の垂直支軸１９の螺軸部１９ｂに対して、回転体２０ａを自転のみ可能に支持するケース１８が取り付けられている戸単体９Ａ自体が昇降運動することになる。即ち、床側位置固定ヒンジ１５によって、折れ戸１の床面２に対する高さ調整が可能になっている。
【００２１】
次に、図１２〜図１６に基づいて位置固定ヒンジ１１の構造を説明する。この位置固定ヒンジ１１が取り付けられる中間棚７は、棚板３６とその前側辺の下側に取り付けられた角材から成る支持部材３７から構成されている。而して位置固定ヒンジ１１は、前記支持部材３７の前面に取り付けられる軸受け部材３８と、戸単体９Ａの裏面に埋設され且つ凹窪部３９ａを有する埋設部材３９と、この埋設部材３９の凹窪部３９ａに遊嵌する前記軸受け部材３８の先端軸受け部３８ａと当該埋設部材３９とを相対回転自在に連結する垂直支軸１１ａから構成されている。
【００２２】
軸受け部材３８は、前記中間棚７の前側辺、即ち、支持部材３７の前面に複数本の取付け用ネジ４０により取り付けられる平面視Ｌ形の金属板製の取付け板４１と、この取付け板４１の先端部に取り付けられて前記先端軸受け部３８ａを形成する合成樹脂製の軸受け部品４２とで構成されている。前記取付け板４１の前方に突出する垂直板部４１ａの先端には、軸受け部品４２を上下から挟む突出片４１ｂ，４１ｃが折曲連設され、この突出片４１ｂ，４１ｃ間に嵌合した軸受け部品４２が、取付け板４１の垂直板部４１ａ及び上下両突出片４１ｂ，４１ｃとそれぞれ結合用ネジ４３により結合一体化されている。軸受け部品４２には、垂直支軸１１ａが挿通される垂直向きの貫通孔４４が設けられている。
【００２３】
埋設部材３９は、戸単体９Ａの裏面側に刻設された凹部４５に嵌め込まれる合成樹脂製の外側ケース部材４６と、この外側ケース部材４６に嵌合する内側嵌合部材４７とから構成されている。外側ケース部材４６は、縦長長方形の前記凹窪部３９ａを形成するもので、その両側辺には、戸単体９Ａの裏面に当接する張出突条部４６ａ，４６ｂを備え、上下両内側端面には、垂直支軸１１ａの上下両端部が遊嵌する窪み部４６ｃが形成され、更にその左右両側壁部には、内側に斜めに張り出す抜け止め用舌片４６ｄが一体に切欠き形成されている。内側嵌合部材４７は、外側ケース部材４６の内側に丁度嵌合し得る幅の帯状金属板を折曲して構成されたもので、外側ケース部材４６内に嵌合するコ形部分４８、当該コ形部分４８の両端から連設された一対の取付け板部４９を備えている。コ形部分４８の上下両側壁部４８ａ，４８ｂには、垂直支軸１１ａが挿通される貫通孔５０が同心状に穿設されている。尚、内側嵌合部材４７におけるコ形部分４８の上下両側壁部４８ａ，４８ｂ間の間隔は、軸受け部材３８における先端軸受け部３８ａの上下高さよりも十分に広いものである。
【００２４】
上記構成の位置固定ヒンジ１１は、軸受け部材３８における先端軸受け部３８ａ（軸受け部品４２）を内側嵌合部材４７の上下両側壁部４８ａ，４８ｂ間に嵌めると共に、上下両側壁部４８ａ，４８ｂの貫通孔５０と軸受け部品４２の貫通孔４４とにわたって垂直支軸１１ａを挿通させた状態で、当該内側嵌合部材４７のコ形部分４８を外側ケース部材４６の内側に嵌合させる。このときコ形部分４８の上下両側壁部４８ａ，４８ｂは、外側ケース部材４６の上下両内側端面に隣接し、当該上下両側壁部４８ａ，４８ｂから突出する垂直支軸１１ａの上下両端部が、外側ケース部材４６の上下両内側端面に形成された窪み部４６ｃに遊嵌し、内側嵌合部材４７に対する垂直支軸１１ａの上下移動が防止されている。又、コ形部分４８が外側ケース部材４６内に嵌合する過程で当該コ形部分４８の両側辺が外側ケース部材４６の左右一対の抜け止め用舌片４６ｄを弾性に抗して外向きに押し広げ、コ形部分４８が外側ケース部材４６の内側底面に隣接する深さまで嵌合したとき、当該左右一対の抜け止め用舌片４６ｄが弾性復帰して、その先端それぞれがコ形部分４８の外側に突出し、外側ケース部材４６からの内側嵌合部材４７の抜け落ちが阻止される。このとき、内側嵌合部材４７の上下両取付け板部４９は、外側ケース部材４６の上下両表面に隣接すると共に、外側ケース部材４６の上下両端より外側に突出している。
【００２５】
上記のように軸受け部材３８と埋設部材３９とを組み合わせた状態では、軸受け部材３８は、埋設部材３９に対して垂直支軸１１ａの軸方向に一定範囲内で相対移動自在であり、図１２に示すように、軸受け部材３８の取付け板４１における垂直板部４１ａを埋設部材３９の凹窪部３９ａの底面、即ち、内側嵌合部材４７におけるコ形部分４８の底面に対して直角向きにしたとき、当該垂直板部４１ａの先端から直角横向きに突出する先端軸受け部３８ａ（軸受け部品４２）が埋設部材３９の凹窪部３９ａ内に納まるように、垂直支軸１１ａの位置は、埋設部材３９の凹窪部３９ａの幅方向の一方に片寄せられている。
【００２６】
埋設部材３９に組み付けられた軸受け部材３８は、その取付け板４１において、中間棚７の前側辺、即ち、支持部材３７の前面に複数本の取付け用ネジ４０により取り付けられる。そして埋設部材３９は、戸単体９Ａの裏面側に刻設された凹部４５に外側ケース部材４６を嵌め込み、当該外側ケース部材４６の左右一対の張出突条部４６ａ，４６ｂを戸単体９Ａの裏面に当接させる。このとき外側ケース部材４６の上下両端から突出している内側嵌合部材４７の上下一対の取付け板部４９が戸単体９Ａの裏面に隣接しているので、これら取付け板部４９をそれぞれ取付け用ネジ５１により戸単体９Ａに固定することにより、戸単体９Ａに対する埋設部材３９の取り付けが完了する。この埋設部材３９の取り付け状態では、外側ケース部材４６は、上下一対の取付け板部４９において取付け用ネジ５１により戸単体９Ａに固定された内側嵌合部材４７と戸単体９Ａの凹部４５との間で挟持固定されたことになる。
【００２７】
次に、図１７〜図２３に基づいて可動体１３及び当該可動体１３と戸単体９Ｂとの間に介装されるヒンジ１４の構造を説明する。可動体１３が係合するスライドガイドレール８は、前側に開放する横向き溝型レール部８ａと、当該横向き溝型レール部８ａの上半部に形成された下向き溝型レール部８ｂとを備えたもので、下向き溝型レール部８ｂが中間棚７の支持部材３７内に埋め込まれる状態で当該支持部材３７の下側に取り付けられている。而して可動体１３は、スライドガイドレール８内に遊嵌する角棒状部材５２の長さ方向両端に、スライドガイドレール８の下向き溝型レール部８ｂに嵌合して垂直軸周りで回転する位置決め用ローラー５３ａ，５３ｂを軸支すると共に、両位置決め用ローラー５３ａ，５３ｂ間において角棒状部材５２に、横向き溝型レール部８ａに嵌合して水平軸周りで回転する支持用ローラー５４を軸支して成るスライダー５５を備えた水平板１３ａから構成されている。
【００２８】
ヒンジ１４は、戸単体９Ｂの外側辺裏面に取り付けられる取付け部材５６と前記可動体１３の先端部とを垂直支軸１４ａによって相対揺動自在に連結して構成されている。可動体１３の先端部は、当該可動体１３を構成する水平板１３ａから一体に折曲連設した垂直板部１３ｂと下側水平板１３ｃとで横向きコ形断面構造に構成され、この上下一対の水平板１３ａ，１３ｃ間にわたって垂直支軸１４ａが垂直に挿通保持されている。取付け部材５６は、戸単体９Ｂの外側辺裏面に取付け用ネジ５７により取り付けられる基板５８と、この基板５８に対して着脱自在なヒンジ側部材５９とで構成されている。基板５８は合成樹脂製のもので、戸単体９Ｂの裏面との間にヒンジ側部材５９を挿入する縦断面コ形の空隙部６０を形成する、一段高くなった板部６１が形成され、この板部６１には、前記空隙部６０内に突出する抜け止め用舌片部６２が一体に切欠き形成されている。
【００２９】
一方のヒンジ側部材５９は、戸単体９Ｂの裏面に沿って前記縦断面コ形の空隙部６０内に差し込み可能な縦断面コ形に成形された金属板から成るもので、その平坦板部５９ａには、前記抜け止め用舌片部６２が係合する係合孔６３が設けられ、両側壁部５９ｂ，５９ｃの後端部、即ち、基板５８側の縦断面コ形の空隙部６０内に奥まで差し込んだときに当該基板５８側の板部６１から突出している後端部は、前記垂直支軸１４ａが垂直に挿通される軸受け部５９ｄに形成されている。
【００３０】
戸単体９Ｂの裏面の所定位置に基板５８を、その縦断面コ形の空隙部６０に対するヒンジ側部材５９の差し込み方向が戸単体９Ｂの外側辺から直角向きとなるように取付け用ネジ５７により取り付け、スライドガイドレール８にスライダー５５を嵌合させた状態の可動体１３に垂直支軸１４ａを介して軸支連結されたヒンジ側部材５９を、基板５８の板部６１と戸単体９Ｂの裏面との間に形成されている縦断面コ形の空隙部６０内に奥まで差し込む。このとき基板５８側の抜け止め用舌片部６２がヒンジ側部材５９の平坦板部５９ａによって弾性に抗して外側へ押し出され、ヒンジ側部材５９の平坦板部５９ａが空隙部６０の奥端に達したとき、抜け止め用舌片部６２が弾性復帰してヒンジ側部材５９の係合孔６３に嵌合し、当該ヒンジ側部材５９が空隙部６０内から抜け出る方向に移動するのを阻止する。尚、抜け止め用舌片部６２の先端には、当該抜け止め用舌片部６２を弾性に抗してヒンジ側部材５９の係合孔６３から離脱させるための操作用突起６２ａが連設されており、戸単体９Ｂを可動体１３側から切り離すとき、操作用突起６２ａにより抜け止め用舌片部６２を弾性に抗してヒンジ側部材５９の係合孔６３から離脱させることにより、基板５８側からヒンジ側部材５９を引き抜くことができる。
【００３１】
以上のようにして、折れ戸１の戸単体９Ａの外側辺裏面側で中間棚７に対応する中間高さ位置を、位置固定ヒンジ１１により中間棚７の前側辺に軸支すると共に、当該折れ戸１の外側辺の下端を、前記位置固定ヒンジ１１の垂直支軸１１ａと同心状の垂直支軸１９を有する床側位置固定ヒンジ１５により床面２上に軸支し、更に折れ戸１の戸単体９Ｂの外側辺裏面側で中間棚７に対応する中間高さ位置を、スライドガイドレール８に係合する可動体１３にヒンジ１４を介して連結することにより、折れ戸１の取り付けが完了する。このとき位置固定ヒンジ１１では、図１３及び図１４に示すように、中間棚７側の軸受け部材３８の先端軸受け部３８ａ（軸受け部品４２）は、戸単体９Ａ側の埋設部材３９の垂直支軸１１ａに対して一定範囲内で上下方向に遊動可能であり、可動体１３との間のヒンジ１４では、図１７及び図２１に示すように、戸単体９Ｂ側のヒンジ側部材５９は、可動体１３側の垂直支軸１４ａに対して一定範囲内で上下方向に遊動可能である。従って、床側位置固定ヒンジ１５の回転操作軸２１ｂを回転操作して折れ戸１の戸単体９Ａの外側辺位置を高さ調整したとき、折れ戸１の全体を平行に昇降移動させることができる。
【００３２】
以上のようにして取り付けられた折れ戸１は、図示していないが、戸単体９Ａ，９Ｂの内側辺近傍に設けられる把手などを利用して外側へ引き出すように操作することにより、図１Ａに示す展開閉じ姿勢から図１Ｂに示すように折れ戸１を折り畳みながら開動させることができる。このとき、戸単体９Ａは、位置固定ヒンジ１１の垂直支軸１１ａと床側位置固定ヒンジ１５の垂直支軸１９とを支点軸にして外側に開動し、戸単体９Ｂの外側辺は、可動体１３をスライドガイドレール８に沿って横動させながら、ヒンジ１４の垂直支軸１４ａを支点軸にして外側へ開動する。
【００３３】
図２に示すように戸単体９Ｂ側の可動体１３が開動限位置まで横動して、折れ戸１の戸単体９Ａと戸単体９Ｂとが重なり合う折り畳み姿勢となったとき、中間棚７を備えた収納空間６が全開される。このとき、図１Ａに基づいて説明したように、位置固定ヒンジ１１の垂直支軸１１ａとセンターヒンジ１０の支点軸との間の水平距離Ｌ１が、可動体１３と戸単体９Ｂとの間のヒンジ１４の垂直支軸１４ａとセンターヒンジ１０の支点軸との間の水平距離Ｌ２よりも短くなるように構成しているので、図２に示すように折れ戸１が折り畳み姿勢となったとき、戸単体９Ａ，９Ｂは、平面視において、折れ戸１の開閉方向（スライドガイドレール８の長さ方向）に関して左右対称形とはならず、可動体１３側の戸単体９Ｂの傾斜角度が大きくなる。即ち、センターヒンジ１０の支点軸と可動体１３側のヒンジ１４の垂直支軸１４ａを結ぶ平面視における仮想直線と、前記垂直支軸１４ａを通る折れ戸１の開閉方向（スライドガイドレール８の長さ方向）と平行な平面視における仮想直線との間の、折れ戸１の閉動方向側の夾角が９０度以上となり、しかもその夾角は、折り畳み姿勢での位置固定ヒンジ１１の垂直支軸１１ａと可動体１３側のヒンジ１４の垂直支軸１４ａとの間の折れ戸１の開閉方向（スライドガイドレール８の長さ方向）と平行な方向での間隔が等しいことを前提として、戸単体９Ａ，９Ｂが左右対称形に折り畳まれるときの前記夾角と比較して大きくなる。
【００３４】
この結果、折り畳み姿勢の折れ戸１に対して、図２に矢印Ｆで示すように、位置固定ヒンジ１１側の戸単体９Ａの内側辺付近を折れ戸閉動方向に押したとき、その作用力Ｆは、センターヒンジ１０の支点軸から折れ戸９Ｂの可動体１３側のヒンジ１４の垂直支軸１４ａに向かって作用する分力ｆ１と、折れ戸１の閉動方向に作用する分力ｆ２とに分かれ、当該折れ戸１の閉動方向に作用する分力ｆ２が、可動体１３をスライドガイドレール８に沿って折れ戸閉動方向に移動させる作用力となり、この分力ｆ２が従来の折れ戸構造よりも大きくなるので、折れ戸１は比較的円滑に閉動を開始することになる。即ち、可動体１３側の折れ戸９Ｂを折れ戸閉動方向に引っ張るように操作しなくとも、前記のように位置固定ヒンジ１１側の戸単体９Ａの内側辺付近を折れ戸閉動方向に押した場合でも、比較的円滑に折れ戸１の閉動を開始させることができるのである。
【００３５】
可動体１３がスライドガイドレール８の閉動限位置まで達して、図１Ａに示すように折れ戸１が完全に展開して、収納空間６を閉じる展開閉じ姿勢になったとき、戸単体９Ａ，９Ｂは、スライドガイドレール８と平行な１つの垂直平面に沿った状態になる。
【産業上の利用可能性】
【００３６】
本発明の折れ戸装置は、建屋内に収納空間を造り付けする場合に当該収納空間の開口部を開閉するための手段として効果的に利用できる。
【符号の説明】
【００３７】
１    折れ戸
２    床面
６    収納空間
７    中間棚
８    スライドガイドレール
９Ａ，９Ｂ    戸単体
１０    センターヒンジ
１１    位置固定ヒンジ
１１ａ，１４ａ，１９    垂直支軸
１３    可動体
１４    ヒンジ
１５    床側位置固定ヒンジ
１６    本体
１７    床側部材
３６    棚板
３７    支持部材
３８    軸受け部材
３８ａ    先端軸受け部
３９    埋設部材
３９ａ    凹窪部
４１    取付け板
４２    軸受け部品
４６    外側ケース部材
４６ｄ    抜け止め用舌片
４７    内側嵌合部材
４８    コ形部分
４９    取付け板部
５２    角棒状部材
５３ａ，５３ｂ    位置決め用ローラー
５４    支持用ローラー
５５    スライダー
５６    取付け部材
５８    基板
５９    ヒンジ側部材
６０    縦断面コ形の空隙部
６２    抜け止め用舌片部
６３    係合孔
【図１】
2011144500.tif 000003
【図２】
2011144500.tif 000004
【図３】
2011144500.tif 000005
【図４】
2011144500.tif 000006
【図５】
2011144500.tif 000007
【図６】
2011144500.tif 000008
【図７】
2011144500.tif 000009
【図８】
2011144500.tif 000010
【図９】
2011144500.tif 000011
【図１０】
2011144500.tif 000012
【図１１】
2011144500.tif 000013
【図１２】
2011144500.tif 000014
【図１３】
2011144500.tif 000015
【図１４】
2011144500.tif 000016
【図１５】
2011144500.tif 000017
【図１６】
2011144500.tif 000018
【図１７】
2011144500.tif 000019
【図１８】
2011144500.tif 000020
【図１９】
2011144500.tif 000021
【図２０】
2011144500.tif 000022
【図２１】
2011144500.tif 000023
【図２２】
2011144500.tif 000024
【図２３】
2011144500.tif 000025